【手続補正書】
【提出日】平成18年9月8日(2006.9.8)
【手続補正１】
【補正対象書類名】明細書
【補正対象項目名】特許請求の範囲
【補正方法】変更
【補正の内容】
【特許請求の範囲】
【請求項１】  着信結合信号を受信しかつ発信結合信号を送信するように構成された結合信号端子（５０５、５１５）であって、前記信号は電話サブ信号とイサーネット・サブ信号とを含む前記結合信号端子と、
前記結合信号から導出された着信電話サブ信号を送信しかつ発信電話サブ信号を受信するように構成された電話サブ信号端子（５０９、５１９）と、
前記結合信号から導出された着信イサーネット・サブ信号を送信しかつ発信イサーネット・サブ信号を受信するように構成されたイサーネット・サブ信号端子（５１１、５２１）と
を含むシグナリング装置（５０３、５１３、１０３、１１３）であって、
それぞれ、前記電話サブ信号端子（５０９、５１９）と前記イサーネット・サブ信号端子（５１１、５２１）とにおける前記発信サブ信号を前記結合信号端子（５０５、５１５）から送信する発信結合信号になるように結合するようにされたフィルタ手段（５０３、５０７、５０８、５１３、５１７、５１８）を含み、
前記フィルタ手段（５０３、５０７、５０８、５１３、５１７、５１８）は、前記結合信号端子（５０５、５１５）に受信した着信結合信号を、それぞれ、前記電話サブ信号端子（５０９、５１９）と前記イサーネット・サブ信号端子（５１１、５２１）とから送信する着信電話サブ信号と着信イサーネット・サブ信号とに分割するようにまたされている
ことを特徴とするシグナリング装置。
【請求項２】  請求項１記載のシグナリング装置において、前記フィルタ手段（７、８、１７、１８）は少なくとも１つの受動フィルタ（８、７、１８、１７）を含むシグナリング装置。
【請求項３】  請求項１又は２記載のシグナリング装置において、前記手段は前記着信結合信号を受信しかつ前記イサーネット・サブ信号端子へ前記着信イサーネット・サブ信号を送信するように構成された高域通過フィルタ（８、１８）を含むシグナリング装置。
【請求項４】  請求項１又は２又は３記載のシグナリング装置において、前記手段は前記着信結合信号を受信しかつ前記電話サブ信号端子へ前記着信電話サブ信号を送信するように構成された低域通過フィルタ（７、１７）を含むシグナリング装置。
【請求項５】  請求項１から４のいずれか１つに記載のシグナリング装置（３、１３、１０３、１１３）であって、前記イサーネット・サブ信号端子（１１、２１）にバランを更に含むシグナリング装置。
【請求項６】  請求項１から５のいずれか１つに記載のシグナリング装置（３、１３、１０３、１１３）であって、前記電話サブ信号端子にバランを更に含むシグナリング装置。
【請求項７】  イサーネット信号と電話信号とを結合する、通信ネットワークにおける方法であって、
発信電話サブ信号を受信するステップと、
発信イサーネット・サブ信号を受信するステップと、
受信した発信電話サブ信号と受信した発信イサーネット・サブ信号とを、少なくとも１つのフィルタによって、結合発信信号になるように結合し、かつ前記結合発信信号を送信するステップと、
電話サブ信号とイサーネット・サブ信号とを含む結合着信信号を受信するステップと、
受信した結合着信信号を、少なくとも１つのフィルタによって、着信電話サブ信号と着信イサーネット・サブ信号とに分割し、かつ前記着信電話サブ信号を第１サブ信号端子を経由して加入者へ送信しかつ前記着信イサーネット・サブ信号を第２サブ信号端子を経由して加入者へ送信するステップと
を含む方法。
【請求項８】  請求項７記載の方法において、前記少なくとも１つのフィルタは受動フィルタである方法。
【請求項９】  請求項７又は８記載の方法であって、前記サブ信号を結合する前にバランによって前記発信電話サブ信号を平衡させるステップを更に含む方法。
【請求項１０】  請求項７又は８又は９に記載の方法であって、前記結合着信信号の分割の後にバランによって前記着信電話サブ信号を平衡させるステップを更に含む方法。
【請求項１１】  請求項７から１０のいずれか１つに記載の方法であって、前記サブ信号を結合する前にバランによって前記発信イサーネット・サブ信号を平衡させるステップを更に含む方法。
【請求項１２】  請求項７から１１のいずれか１つに記載の方法であって、前記結合着信信号の分割の後にバランによって前記着信イサーネット・サブ信号を平衡させるステップを更に含む方法。
【請求項１３】  共同アンテナ・テレビジョン・ネットワークを使用してデータを分配する方法であって、
フィルタを使用してベースバンド・データ信号と共同アンテナ・テレビジョン信号とを結合するステップと、
本質的に同じ型式のフィルタを使用して前記ベースバンド・データ信号と前記共同アンテナ・テレビジョン信号とを分離するステップと
を含むことを特徴とする方法。
【請求項１４】  請求項１３記載の方法において、前記フィルタは受動フィルタである方法。
【請求項１５】  請求項１１又は１３記載の方法であって、前記ベースバンド・データ信号はイサーネット・プロトコルに従う信号であることを特徴とする方法。
【請求項１６】  少なくとも１つのコンピュータへの及び／又はからのデータの分配方法であって、
前記コンピュータへ向けての方向で、
−  ベースバンド・データ信号を共同アンテナ・テレビジョン信号と結合信号になるように結合するステップと、
−  共同アンテナ・テレビジョン・ケーブルを使用して少なくとも第１フラットへ前記結合信号を送信するステップと、
−  前記結合信号をベースバンド・データ信号とテレビジョン信号とに分割するステップと、
−  前記少なくとも第１フラット内で前記データ信号を前記コンピュータに配布しかつ前記テレビジョン信号をテレビジョン受像機に分配するステップと
を含み、
前記コンピュータからの方向で、
−  前記結合信号と同じ経路に沿ってしかし反対方向に前記コンピュータからデータを送信するステップと
を特徴とする方法。
【請求項１７】  請求項１６記載の方法において、前記データ信号と前記共同アンテナ・テレビジョン信号とを、前記コンピュータと前記テレビジョン受像機とへ配布の後に、前記少なくとも第１フラットと縦続構成の中で接続された少なくとも１つの後続フラットへ配布のために、再び結合する方法。
【請求項１８】  請求項１６又は１７記載の方法において、全てのデータを全てのフラットへ送信しかつ特定コンピュータに向けたデータの選択を前記コンピュータ内で実施する方法。
【請求項１９】  請求項１６又は１７記載の方法において、前記コンピュータ又は同じ縦続構成の中のコンピュータに向けたデータだけを各コンピュータへ送信するように前記信号の結合の前に前記データをスイッチする方法。
【請求項２０】  請求項１６から１９のいずれか１つに記載の方法において、前記着信データ信号はフィルタによって共同アンテナ・テレビジョン信号と結合されたベースバンド・データ信号でありかつ前記共同アンテナ・テレビジョン・ケーブル上に着信する方法。
【請求項２１】  請求項１６から２０のいずれか１つに記載の方法において、前記着信データ信号は前記テレビジョン信号と入りケーブルを共用しかつ前記データ信号と前記テレビジョン信号とを結合する前に前記データ信号と前記テレビジョン信号とを共同アンテナ・テレビジョン・モデムで復調する方法。
【請求項２２】  請求項１６から２１のいずれか１つに記載の方法において、少なくともデータ信号方式は双方向性である方法。
【請求項２３】  請求項１６から２２のいずれか１つに記載の方法において、前記ベースバンド・データ信号はイサーネット・サブ信号と電話サブ信号とから結合される方法。
【請求項２４】  共同アンテナ・テレビジョン信号とデータ信号とを結合及び／又は分割する装置であって、共同アンテナ・テレビジョン信号を受信するようにした第１端子（２５１）と、データ信号を受信しかつ送信するようにした第２入出力端子（２５３）と、結合共同アンテナ・テレビジョン及びデータ信号を受信しかつ送信するようにした第３入出力端子（２５５）と、前記第１入出力端子（２５１）上の高域通過フィルタ（２５７）と、前記第２入出力端子（２５３）上の低域通過フィルタ（２５９）と、前記高域通過フィルタ（２５７）と前記低域通過フィルタ（２５９）と前記第３入出力端子（２５５）とに接続された結合するユニット（２６１）とを含むことを特徴とする装置。
【請求項２５】  請求項２４記載の装置であって、前記第２入出力端子と前記低域通過フィルタとの間に接続されたインピーダンス変換ユニットを更に含む装置。
【請求項２６】  請求項２４記載の装置であって、前記第２入出力端子と前記低域通過フィルタとの間に接続されたバラン（２６３）を更に含む装置。
【請求項２７】  請求項２４から２６のいずれか１つに記載の装置において、前記フィルタ（２５７、２５９）の遮断周波数は実質的に３０から４０ＭＨｚである装置。
【請求項２８】  請求項２４から２７のいずれか１つに記載の装置において、前記第１入出力端子（２５１）上のインピーダンスは実質的に７５Ωでありかつ前記第２入出力端子（２５３）上のインピーダンスは実質的に５０Ωである装置。
【請求項２９】  請求項２４から２８のいずれか１つに記載の装置であって、双方向トラフィックに適合した装置。
【請求項３０】  請求項２４から２９のいずれか１つに記載の装置であって、受信したベースバンド・データ信号を達成するために受信したベースバンド・データ・サブ信号と受信した電話サブ信号とを結合し、かつ送信したベースバンド・データ信号をベースバンド・データ・サブ信号と電話サブ信号とに分割するフィルタ手段を更に含む装置。
【請求項３１】  共同アンテナ・テレビジョン信号とデータ信号とを受信する装置であって、
−  着信共同アンテナ・テレビジョン信号を受信する手段（１０１；２０１；２３１；４０１）と、
−  着信ベースバンド・データ信号を受信する手段（１０８；４０８）と、
−  前記着信ベースバンド・データ信号と前記着信共同アンテナ・テレビジョン信号とを結合信号になるように結合する手段（１０９；２０９；２３４；４０９）と、
−  少なくとも１加入者へ前記結合信号を送信する手段と、
−  前記結合信号をデータ信号と共同アンテナ・テレビジョン信号とに分割する手段（１１１；２１１；２３５；４１１）と、
−  少なくとも１つのコンピュータから発信ベースバンド・データ信号を受信しかつ前記発信ベースバンド・データ信号を送信する手段と
を含む装置。
【請求項３２】  請求項３１記載の装置において、前記着信データ信号と前記着信共同アンテナ・テレビジョン信号とを前記結合する手段（１０９；２０９；２３４；４０９）と、前記結合信号をデータ信号と共同アンテナ・テレビジョン信号とに前記分割する手段（１１１；２１１；２３５；４１１）とは、請求項２４から３０のいずれか１つに記載の結合／分割装置である装置。